(57)【要約】【課題】  従来は、次の操作手順を示す画面に切り替わるタイミングで同時に、その操作手順を示す動画が自動再生されるため、ユーザは一部の操作手順を見逃してしまうことになる。【解決手段】  装置のメンテナンスを要する事象の発生を検知すると、その事象に対する初期操作の手順を示す動画の再生をユーザの指示により開始して動画を表示させる手動動画再生を行い、その動画により指示された手順が実行されたことを検出すると、その事象に対する後続の操作手順を示す動画の再生を、ユーザの指示により開始して動画を表示させる手動動画再生により行うように制御する。【選択図】  図８
2014104728.tif 000002
【特許請求の範囲】
【請求項１】
記憶媒体に画像を形成する画像形成装置であって、
前記画像形成装置のメンテナンスを要する事象の発生を検知する検知手段と、
動画の再生をユーザの指示により開始して前記動画を表示させる手動動画再生手段と、
前記動画により指示された手順が実行されたかどうかを検出する検出手段と、
前記検知手段による前記事象の検知に応じて、前記事象に対する初期操作の手順を示す動画の再生を前記手動動画再生手段により実行させ、前記検出手段により前記手順が実行されたことを検出すると、前記事象に対する後続の操作手順を示す動画の再生を前記手動動画再生手段により実行させるように制御する制御手段と、
を有することを特徴とする画像形成装置。
【請求項２】
記憶媒体に画像を形成する画像形成装置であって、
前記画像形成装置のメンテナンスを要する事象の発生を検知する検知手段と、
動画の再生をユーザの指示により開始して前記動画を表示させる手動動画再生手段と、
動画の再生を自動的に開始して前記動画を表示させる自動動画再生手段と、
前記動画により指示された手順が実行されたかどうかを検出する検出手段と、
前記検知手段による前記事象の検知に応じて、前記事象に対する初期操作の手順を示す動画の再生を前記手動動画再生手段により実行させ、前記検出手段により前記手順が実行されたことを検出すると、前記事象に対する後続の操作手順を示す動画の再生を前記自動動画再生手段により実行させるように制御する制御手段と、
を有することを特徴とする画像形成装置。
【請求項３】
前記事象が発生した場所が、前回の事象が発生した場所と同じ場合、前記制御手段は、前記事象に対する初期操作の手順を示す動画の再生を前記自動動画再生手段により実行させることを特徴とする請求項２に記載の画像形成装置。
【請求項４】
前記検知手段が複数の前記事象の発生を検知した場合、前記制御手段は、前記事象のそれぞれが解除されるたびに、前記事象に対する後続の操作手順を示す動画の再生を前記手動動画再生手段により実行させることを特徴とする請求項１に記載の画像形成装置。
【請求項５】
前記検知手段が複数の前記事象の発生を検知した場合、前記制御手段は、前記事象のそれぞれが解除されるたびに、前記事象に対する後続の操作手順を示す動画の再生を前記自動動画再生手段により実行させることを特徴とする請求項２に記載の画像形成装置。
【請求項６】
前記メンテナンスを要する事象は、記録媒体のジャム、インクなし、記録媒体なしの少なくともいずれかを含むことを特徴とする請求項１乃至５のいずれか１項に記載の画像形成装置。
【請求項７】
前記事象に対する初期操作の手順は、前記画像形成装置のカバーを開ける手順であることを特徴とする請求項１乃至６のいずれか１項に記載の画像形成装置。
【請求項８】
前記検出手段は、前記カバーが開けられたかどうかを検出することを特徴とする請求項７に記載の画像形成装置。
【請求項９】
前記事象に対する初期操作の手順を示す動画、及び前記事象に対する後続の操作手順を示す動画の動画データを記憶する記憶手段を更に有することを特徴とする請求項１乃至８のいずれか１項に記載の画像形成装置。
【請求項１０】
記憶媒体に画像を形成する画像形成装置を制御する制御方法であって、
検知手段が、前記画像形成装置のメンテナンスを要する事象の発生を検知する検知工程と、
手動動画再生手段が、動画の再生をユーザの指示により開始して前記動画を表示させる手動動画再生工程と、
検出手段が、前記動画により指示された手順が実行されたかどうかを検出する検出工程と、
制御手段が、前記検知工程による前記事象の検知に応じて、前記事象に対する初期操作の手順を示す動画の再生を前記手動動画再生工程により実行させ、前記検出工程で前記手順が実行されたことを検出すると、前記事象に対する後続の操作手順を示す動画の再生を前記手動動画再生工程により実行させるように制御する制御工程と、
を有することを特徴とする画像形成装置の制御方法。
【請求項１１】
記憶媒体に画像を形成する画像形成装置を制御する制御方法であって、
検知手段が、前記画像形成装置のメンテナンスを要する事象の発生を検知する検知工程と、
手動動画再生手段が、動画の再生をユーザの指示により開始して前記動画を表示させる手動動画再生工程と、
自動動画再生手段が、動画の再生を自動的に開始して前記動画を表示させる自動動画再生工程と、
検出手段が、前記動画により指示された手順が実行されたかどうかを検出する検出工程と、
制御手段が、前記検知工程による前記事象の検知に応じて、前記事象に対する初期操作の手順を示す動画の再生を前記手動動画再生工程により実行させ、前記検出工程で前記手順が実行されたことを検出すると、前記事象に対する後続の操作手順を示す動画の再生を前記自動動画再生工程により実行させるように制御する制御工程と、
を有することを特徴とする画像形成装置の制御方法。
【請求項１２】
コンピュータを、請求項１乃至９のいずれか１項に記載の画像形成装置として機能させるためのプログラム。
【発明の詳細な説明】
【技術分野】
【０００１】
本発明は、メンテナンス時の操作手順を表示する画像形成装置及びその制御方法とプログラムに関する。
【背景技術】
【０００２】
紙詰まりが発生したり、トナー補給等の処理が必要になった場合、操作部に備えられた表示部に、それに対処する操作手順を表示し、操作者に処理を促す画像形成装置が提案されている。特に、動画を使用した操作指示では複雑な手順なども詳細に説明できるため、あまり経験のないユーザであっても、その操作指示に従って容易に対処できる。特許文献１には、操作部に設けられた「順送りキー」をユーザが操作することにより、次の操作手順を示す動画データに順次切り替えて操作部に表示することが記載されている。また「自動順送りキー」をユーザが操作することにより、操作手順を示す動画データを順次自動的に切り替えて表示する方法を提案している。
【先行技術文献】
【特許文献】
【０００３】
【特許文献１】特開平８−６９２２３号公報
【発明の概要】
【発明が解決しようとする課題】
【０００４】
しかしながら、特許文献１で提案されているような操作指示では、次の操作手順を示す画面に切り替わるタイミングで同時に、その操作手順を示す動画が自動再生される。そのため、ユーザがカバーを閉めるためや、ジャムの発生箇所を確認するために、操作部の表示から目を離していて、再び操作部に目を移したときには、既に途中まで動画が進んでいたり、動画が終了している場合がある。このような場合は、ユーザは一部の操作手順を見逃してしまうことになる。このように操作手順の一部を見逃した場合は、ユーザは、動画再生の巻き戻し等の操作を行わなければならない。また複数個所でジャムが発生した場合は、動画は、ある個所のジャム処理が完了していなくても次の箇所のジャム処理の手順に進んでしまう。このため例えば、ジャム処理の手順に優先順位が決められている場合には、誤った手順で操作を誘導することになり、装置の故障等の原因となるおそれがある。
【０００５】
本発明の目的は、上記従来技術の問題点を解決することにある。
【０００６】
本発明の目的は、ユーザによる操作の必要が生じた場合、まず、その操作を指示する動画を静止させた状態で表示し、ユーザの任意のタイミングで、その動画の再生を開始する技術を提案することにある。
【課題を解決するための手段】
【０００７】
上記目的を達成するために本発明の一態様に係る画像形成装置は以下のような構成を備える。即ち、
記憶媒体に画像を形成する画像形成装置であって、
前記画像形成装置のメンテナンスを要する事象の発生を検知する検知手段と、
動画の再生をユーザの指示により開始して前記動画を表示させる手動動画再生手段と、
前記動画により指示された手順が実行されたかどうかを検出する検出手段と、
前記検知手段による前記事象の検知に応じて、前記事象に対する初期操作の手順を示す動画の再生を前記手動動画再生手段により実行させ、前記検出手段により前記手順が実行されたことを検出すると、前記事象に対する後続の操作手順を示す動画の再生を前記手動動画再生手段により実行させるように制御する制御手段と、を有することを特徴とする。
【発明の効果】
【０００８】
本発明によれば、ユーザは任意のタイミングで動画の再生を開始することができるため、動画で指示される操作手順を見逃すことがない。また、優先順位の高い操作から順に指示できるため、手順ミスによる装置の故障等の心配がないという効果がある。
【図面の簡単な説明】
【０００９】
【図１】本発明の実施形態に係る画像出力システムの構成を示すブロック図。
【図２】実施形態に係る画像形成装置の制御部の構成を説明するブロック図。
【図３】実施形態に係る画像形成装置の操作部を含む周辺回路の構成を説明するブロック図。
【図４】実施形態に係る画像形成装置の操作部の上面図。
【図５】実施形態に係る画像形成装置の構成を説明する断面図。
【図６】実施形態に係る画像形成装置の操作部に表示される、ジャム解除をユーザに指示する画面例を示す図。
【図７】実施形態に係る画像形成装置における操作手順を指示する動画を表示する処理を説明するフローチャートで、（Ａ）は操作手順を指示する動画を手動で再生する手動動画再生処理を示し、（Ｂ）は、操作手順を指示する動画を自動で再生する自動動画再生処理を示すフローチャート。
【図８】本発明の実施形態１に係る画像形成装置におけるジャム発生時の操作手順を示す動画の表示処理を説明するフローチャート。
【図９】本発明の実施形態２に係る画像形成装置におけるジャム発生時の操作手順を示す動画の表示処理を説明するフローチャート。
【図１０】本発明の実施形態３に係る画像形成装置におけるジャム発生時の操作手順を示す動画の表示処理を説明するフローチャート。
【図１１】本発明の実施形態４に係る画像形成装置におけるジャムを解除する手順を示す動画を表示する処理を説明するフローチャート。
【図１２】本発明の実施形態４の変形例である、画像形成装置におけるジャムを解除する手順を示す動画を表示する処理を説明するフローチャート。
【図１３】本発明の実施形態４の更に他の変形例である、画像形成装置におけるジャムを解除する手順を示す動画を表示する処理を説明するフローチャート。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１１】
図１は、本発明の実施形態に係る画像出力システムの構成を示すブロック図である。この画像出力システムでは、ホストコンピュータ１１と画像形成装置２００とがＬＡＮ２０１１を介して接続されている。尚、このＬＡＮ２０１１には、複数の画像処理装置が接続されていても良く、ホストコンピュータ１１と画像形成装置とは所定のプロトコルで通信可能である。尚、この画像処理装置と情報処理装置とを組み合わせた画像出力システムも本発明の適用範囲である。
【００１２】
画像形成装置２００は、画像入力デバイスであるスキャナ部２０７０、画像出力デバイスであるプリンタ部２０９５、制御部２０００、ユーザインターフェースである操作部２０１２を有している。ホストコンピュータ１１はクライアントマシンとして機能する情報処理装置で、表示部、キーボード、ポインティングデバイス、コンピュータ本体等を含む。ホストコンピュータ１１は、コンピュータ本体に内蔵される外部記憶装置からオペレーティングシステムをＲＡＭにロードして、各種のアプリケーションプログラムを実行する。またネットワークカードとネットワークとを介して通信して、その通信により取得する情報を表示する、いわゆるＷｅｂブラウザソフトウエアを実行し、Ｗｅｂサーバとして機能する画像形成装置２００と所定のプロトコルで通信可能に構成されている。
【００１３】
スキャナ部２０７０、プリンタ部２０９５、操作部２０１２はそれぞれ制御部２０００に接続され、制御部２０００は、ＬＡＮ２０１１などのネットワーク伝送手段に接続されている。
【００１４】
図２は、実施形態に係る画像形成装置２００の制御部２０００の構成を説明するブロック図である。
【００１５】
制御部２０００は、デバイスインターフェース部２０２０を介してスキャナ部２０７０やプリンタ部２０９５と接続し、またＬＡＮ２０１１や公衆回線（ＷＡＮ）２０５１と接続することで、画像情報やデバイス情報の入出力を行う。
【００１６】
ＣＰＵ２００１は、ＲＡＭ２００２に展開されたプログラムに従って画像形成装置２００全体を制御している。ＲＡＭ２００２は、ＣＰＵ２００１が実行するプログラムを展開し、また各種データを記憶するワークメモリとして使用され、また画像データを一時記憶する画像メモリとしても使用される。ＲＯＭ２００３はブートＲＯＭとして機能し、画像形成装置２００の電源オン時、ＣＰＵ２００１はＲＯＭ２００３のブートプログラムを実行してＨＤＤ２００４にインストールされているＯＳやプログラムをＲＡＭ２００２に展開する。ＨＤＤ２００４はハードディスクドライブ（ＨＤＤ）で、ＯＳやシステムソフトウェア、画像データ等を格納する。操作部Ｉ／Ｆ２００６は、操作部１０１２とのインターフェース部として機能し、操作部２０１２に表示する画像データを操作部２０１２に出力し、また操作部２０１２でユーザが入力した情報をＣＰＵ２００１に伝える役割をする。ＶＲＡＭ２００９は、ＣＰＵ２００１により生成されて操作部１０１２に表示される画像データを保持する。ネットワークインターフェース２０１０は、ＬＡＮ２０１１を介して情報の入出力を行う。モデム２０５０は公衆回線２０５１に接続されて情報の入出力を行う。以上のデバイスがシステムバス２００７に接続される。
【００１７】
イメージバスインターフェース２００５は、システムバス２００７と画像データを高速で転送する画像バス２００８とを接続し、これらバスの間でデータ構造を変換するバスブリッジである。画像バス２００８は、ＰＣＩバスまたはＩＥＥＥ１３９４で構成され、この画像バス２００８上には以下のデバイスが配置される。
【００１８】
ラスタイメージプロセッサ（ＲＩＰ）２０６０は、ＰＤＬコードをビットマップイメージに展開する。デバイスインターフェース部２０２０は、画像入力部インターフェース２０７１を介してスキャナ部２０７０と制御部２０００とを接続し、また印刷部インターフェース２０９６を介してプリンタ部２０９５と制御部２０００とを接続する。そして、デバイスインターフェース部２０２０は、これらの間で、画像データの同期系／非同期系の変換を行う。スキャナ画像処理部２０８０は、スキャナ部２０７０から入力された画像データに対して、補正、加工、編集等を行う。プリンタ画像処理部２０９０は、プリンタ部２０９５に出力する画像データに対して補正、解像度変換等を行う。画像回転部２０３０は、画像データの回転処理を行う。画像圧縮／伸張部２０４０は、多値画像データはＪＰＥＧで、２値画像データはＪＢＩＧ，ＭＭＲ，ＭＨ等で圧縮／伸張処理を行う。
【００１９】
図３は、実施形態に係る画像形成装置２００の操作部２０１２を含む周辺回路の構成を説明するブロック図であり、図１及び図２と共通する箇所は同一の符号を付して、それらの説明を省略する。
【００２０】
操作部２０１２は、タッチパネル２０１５、ハードキー２０１４及び表示部２０１３を備えている。操作部Ｉ／Ｆ２００６は、タッチパネル２０１５やハードキー２０１４等から入力された情報を入力する入力ポート２００６１と、表示部２０１３にデータを出力する出力ポート２００６２を備えている。ＣＰＵ２１００は、制御プログラムに基づいて表示データを生成してＶＲＡＭ２００９に保持し、この表示データを出力ポート２００６２を介して液晶やＣＲＴなどの表示部２０１３に出力して表示する。後述する動画を表示する動画データもＶＲＡＭ２００９に保持され、操作部Ｉ／Ｆ２００６を介して表示部２０１３に出力されて表示される。
【００２１】
図４は、実施形態に係る画像形成装置の操作部２０１２の上面図である。
【００２２】
表示部２０１３は、液晶上にタッチパネルシートが貼られていてタッチパネル２０１５となっており、操作画面及びソフトキーを表示するとともに、表示してあるキーが押されるとその位置情報をＣＰＵ２００１に伝える。スタートキー４０２は、原稿の読み取りの開始やファクシミリの送信の開始等を指示する場合に使用される。スタートキー４０２の中央部には、緑と赤の２色ＬＥＤ４０３があり、その色によってスタートキー４０２が使える状態にあるかどうかを示す。ストップキー４０４は、押下されると稼働中の動作を停止させる。テンキー４０５は、数字と文字のボタン群で構成されており、電話番号の入力やコピー部数の設定、表示部２０１３の画面の切り替え等を指示するのに使用される。ユーザモードキー４０６は機器の設定を行う場合に使用される。
【００２３】
図５は、実施形態に係る画像形成装置２００の構成を説明する断面図である。
【００２４】
画像形成装置２００は、画像形成部５０１、給紙部５０２ａ，５０２ｂ，５０２ｃ，５０２ｄ、転写ベルト５０３、定着器５０４、排紙部５０５を含む。また画像形成装置２００は、制御部２０００、スキャナ部２０７０及び操作部２０１２を含む。更に、画像形成装置２００は、記録媒体（シート）の有無を検出するためのセンサ５１０ａ，５１０ｂ，５１０ｃ，５１０ｄ，５１０ｅ，５１０ｆ，５１０ｇ，５１０ｈ，５１０ｉを含む。給紙部５０２ａは手差しトレイであり、矢印Ｌ方向に開かれて記録媒体が挿入される。複数の給紙部５０２（５０２ｂ〜５０２ｄ）はそれぞれ複数の記録媒体を積載収納しており、そこに積載されている記録媒体は、給紙ローラによりピックアップされて給紙される。画像形成部５０１は、それぞれがマゼンタ、シアン、イエロー、ブラックの各色のトナー像を形成する画像形成ステーションを備えている。各画像形成ステーションは、各トナーで現像剤像を形成し、転写ベルト５０３上を搬送される記録媒体に、各色に対応した現像剤像を順次転写する。その後、その記録媒体は定着器５０４に搬送され、記録媒体上に形成された現像剤像は加熱により溶融されて記録媒体に定着される。こうして現像剤像が定着されると、記録媒体は排紙部５０５に排紙される。
【００２５】
制御部２０００、この画像形成装置２００の各処理を制御し、受信した印刷ジョブに基づいて画像形成（印刷）処理を実行する。スキャナ部２０７０は、原稿台に載置された原稿を光学的に走査して読み取ることにより、色毎の画像信号を得る。また操作部２０１２は、操作者からのコマンド入力、操作者への状態報知および通知内容の表示等を行う。本実施形態に係る操作部２０１２は、画像形成中にジャムが発生したことを報知し、画像形成された識別情報を含む形成結果を示す情報を出力するようにしてもよい。
【００２６】
各センサ５１０（５１０ａ〜５１０ｉ）は、図５に示すように、搬送路上に複数配置されて記録媒体の有無を検出する。なお、各センサ５１０は、メカ・フラグを用いたセンサでもよいし、光学素子を用いたセンサでもよい。尚、これらセンサ５１０は、一適用例として示したものであり、配置される位置については、この実施形態に限定されない。例えば、ジャム発生時に画像形成装置２００内に滞留する全ての記録媒体を検出する場合、センサ５１０は、各画像形成の工程箇所（例えば、給紙位置、画像形成位置および定着位置等）または搬送路上に等間隔で配置されるのが望ましい。尚、上述のプリンタ部２０９５は、画像形成部５０１、給紙部５０２、転写ベルト５０３、定着器５０４、排紙部５０５等で構成されている。また図５では示していないが、画像形成部５０１、給紙部５０２、排紙部５０５等のカバーの開閉を検知する複数のセンサが設けられている。
【００２７】
図６は、本発明の実施形態に係る画像形成装置２００の操作部２０１２に表示される、ジャム解除をユーザに指示する画面例を示す図である。
【００２８】
この画面は、ジャムを検知したタイミングで表示部２０１３に表示される。画面タイトル６０１は、ジャム解除の指示を意味するタイトルを表示しており、ここでは「紙詰まりの処理」が表示されている。動画表示領域６０２は、発生したジャムを解除するためのユーザの操作手順を動画で表示する。尚、動画の手動再生指示は、動画表示領域６０２に表示された動画をユーザがタッチすることで開始するようにしても良い。または操作部２０１２に再生開始用のボタンを設け、ユーザがそのボタンを押下することにより開始するようにしても良い。ジャム発生箇所表示領域６０３は、この画像形成装置２００のどの場所でジャムが発生したかを示す図を表示する。ここでは、ジャムの発生箇所を示す複数の丸い印６０４ａ，６０４ｂ，６０４ｃが表示され、その場所でジャムが発生したことを示している。これら丸い印６０４ａ，６０４ｂ，６０４ｃは、対応するジャムが解除されると消滅して更新される。例えば、丸い印６０４ｂで示すジャムが解除された場合、ジャム発生箇所表示領域６０３では丸い印６０４ｂが消去され、丸い印６０４ａ，６０４ｃだけが残って表示される。ジャム解除指示テキスト表示領域６０５は、発生したジャムを解除するためのユーザの操作手順をテキストで表示する。ステータスライン６０６は、現在発生している現象をメッセージで表示している。複数の現象が同時に発生している場合は、優先順位の高い現象のメッセージから表示し、一定時間間隔で表示を切り替える。
【００２９】
図７（Ａ）（Ｂ）は、本発明の実施形態に係る画像形成装置２００における操作手順を指示する動画を表示する処理を説明するフローチャートである。このフローチャートで示す処理は、ＣＰＵ２００１が、ＨＤＤ２００４からＲＡＭ２００２に展開されたプログラムを実行することにより実現される。
【００３０】
図７（Ａ）は、操作手順を指示する動画を手動で再生する手動動画再生処理を説明するフローチャートである。
【００３１】
この処理は、ＣＰＵ２００１が、ＨＤＤ２００４より操作手順を指示する動画データを取得した状態で開始される。まずＳ７０１で、ＣＰＵ２００１は、取得した動画データに基づいて、動画の開始画像（静止画）を操作部２０１２の動画表示領域６０２に表示する。次にＳ７０２に進み、ＣＰＵ２００１は、ユーザにより、その動画の再生を開始を指示する操作が行われたかを判断する。この動画の再生開始は、前述したように、動画表示領域６０２に表示された動画をユーザがタッチすることで指示しても良く、或いは操作部２０１２に再生開始用のボタンを設け、ユーザがそのボタンを押下することにより指示しても良い。Ｓ７０２で、動画の再生開始が指示されたと判断した場合はＳ７０３に進み、ＣＰＵ２００１は、操作手順を指示する動画を再生して表示する。一方、Ｓ７０２で、動画の再生を開始する指示操作が行われていないと判断した場合は、その指示操作が行われるまでＳ７０２の処理を繰り返す。
【００３２】
図７（Ｂ）は、操作手順を示す動画を自動で再生して表示する自動動画再生処理を説明するフローチャートである。
【００３３】
この処理は、ＨＤＤ２００４より操作手順を指示する動画データを取得した状態で開始される。まずＳ７１１で、ＣＰＵ２００１は、取得した動画データに基づいて、動画の開始画像を操作部２０１２の動画表示領域６０２に表示する。次にＳ７１２に進み、ＣＰＵ２００１は、操作手順を指示する動画の再生を開始して動画を表示する。
【００３４】
このように、操作手順を指示する動画を手動で再生するときは、ユーザによる動画再生の開始指示に従って動画の再生を開始し、自動で再生するときは、ユーザによる操作を待たずに動画の再生を開始する。
【００３５】
［実施形態１］
図８は、本発明の実施形態１に係る画像形成装置における、ジャム発生時の操作手順を指示する動画を全て手動で表示させる手順を説明するフローチャートである。このフローチャートで示す処理は、ＣＰＵ２００１が、ＨＤＤ２００４からＲＡＭ２００２に展開されたプログラムを実行することにより実現される。尚、この図８のフローチャートに示す処理は、画像形成装置２００でジャムが発生し、そのジャムに対処する処理が必要になったタイミングで開始される。
【００３６】
先ずＳ８０１で、ＣＰＵ２００１は、この画像形成装置内のセンサ（図５のセンサ５１０）によってジャムを検知しているか否かを判定し、ジャムを検知しているときはＳ８０２に進む。尚、このフローチャートでは、Ｓ８０１で、ジャムを検知していないときはＳ８０１を実行しているが、ジャムを検知していないときは他の処理に分岐しても良い。Ｓ８０２でＣＰＵ２００１は、表示部２０１３に、例えば図６に示すようなダイアログを表示する。
【００３７】
次にＳ８０３に進み、ＣＰＵ２００１は、装置内のセンサによって、ジャムが発生している場所を確認する。次にＳ８０４に進み、ＣＰＵ２００１は、Ｓ８０３で取得したジャムに対処する初期操作手順である、ジャムの発生場所のカバーを開ける手順を示す動画データをＨＤＤ２００４より取得する。そしてＳ８０５に進み、ＣＰＵ２００１は、図７（Ａ）で示す手順に従って、その動画を手動で再生する処理を実行する。
【００３８】
次にＳ８０６に進み、ＣＰＵ２００１は、装置内のセンサによって、動画で指示されたカバーが開けられたかどうかを判定し、そのカバーが開けられていないときはＳ８０５に戻って動画を再生し、そのカバーが開けられたと判定したときはＳ８０７に進む。Ｓ８０７でＣＰＵ２００１は、Ｓ８０３で取得したジャムが発生している場所のジャムを解除する操作手順を示す動画データをＨＤＤ２００４より取得する。そしてＳ８０８に進み、ＣＰＵ２００１は、図７（Ａ）で示す手順に従って、その動画を手動で再生する処理を実行する。そしてＳ８０９でＣＰＵ２００１は、装置内のセンサによってＳ８０６で開けられたカバーが閉じられたかどうかを判定し、閉じられていないときはＳ８０８に進んで、動画の再生表示を繰り返す。そしてＳ８０９で、そのカバーが閉じられたことを検知すると、ＣＰＵ２００１は、ジャムの解除操作が完了したと判断してＳ８１０に進む。Ｓ８１０では、ＣＰＵ２００１は、Ｓ８０１のジャム検知で検知した全てのジャムが解除されたかどうかを判定し、全てのジャムが解除されていないときはＳ８０３に戻り、全てのジャムが解除されたと判定した場合はＳ８１１に進む。Ｓ８１１でＣＰＵ２００１は、図６に示すようなダイアログを閉じて、この処理を終了する。
【００３９】
以上説明したように実施形態１によれば、例えばジャムを解除する手順を示す動画の再生表示は、ユーザが手動で動画の再生の開始を指示することにより開始される。このため、ユーザが他の操作を行っているために、動画を見逃したり、動画の重要な手順の説明を見逃す等の不具合を防止できるという効果がある。尚、実施形態１では、ジャムの解除を例に説明したが、本発明はこれに限定されるものでなく、例えばトナーやインクの交換、用紙なし等の場合にも適用できる。
【００４０】
［実施形態２］
次に、本発明の実施形態２について説明する。実施形態２では、ジャムを検知したときにカバーを開ける手順を示す動画の再生を、ユーザの手動操作により開始する点は同じである。そしてカバーが開けられた後、ジャムを解除する手順を示す動画を自動で再生する点が異なっている。尚、実施形態２に係るシステム構成及び画像形成装置の構成などは、前述の実施形態１と同様であるため、その説明を省略する。
【００４１】
図９は、本発明の実施形態２に係る画像形成装置におけるジャム発生時の操作手順を示す動画の表示処理を説明するフローチャートである。このフローチャートで示す処理は、ＣＰＵ２００１が、ＨＤＤ２００４からＲＡＭ２００２に展開されたプログラムを実行することにより実現される。尚、この図９のフローチャートに示す処理は、画像形成装置２００でジャムが発生し、そのジャムに対処する処理が必要になったタイミングで開始される。
【００４２】
前述の実施形態１では、全ての操作手順を示す動画を、手動による開始指示により再生する例で説明した。一方、メンテナンス操作に慣れているユーザの場合は、毎回、手動により動画の再生開始を指示するのが煩わしい場合がある。そこで実施形態２では、予め定義されたグループの最初の操作手順を示す動画のみを手動による操作で再生させる。そして後続の操作手順を示す動画は、装置における、例えばカバーオープンやクローズ等のイベントをトリガーに自動で再生する例で説明する。ここで述べるグループとは、ジャムの発生位置や、発生した事象等をグループとして、予め定義する。図９のフローチャートでは、グループをジャムの発生位置と定義した場合を例として説明する。例えば、ジャムが３か所で発生した場合、グループは、ジャムの発生位置に応じて、グループ１からグループ３まで存在する。各グループの最初の動画に該当するカバーを開ける手順の動画は、ユーザによる手動操作により再生が開始され、ジャムを解除するための手順の動画は、そのカバーが開けられたことをトリガーにして自動的に再生される。
【００４３】
先ずＳ９０１で、ＣＰＵ２００１は、この画像形成装置内のセンサ（図５の５１０）によってジャムを検知しているか否かを判定し、ジャムを検知しているときはＳ９０２に進む。尚、このフローチャートでは、Ｓ９０１で、ジャムを検知していないときはＳ９０１を実行しているが、ジャムを検知していないときは他の処理に分岐しても良い。Ｓ９０２でＣＰＵ２００１は、表示部２０１３に、例えば図６に示すようなダイアログを表示する。
【００４４】
次にＳ９０３に進み、ＣＰＵ２００１は、装置内のセンサによって、ジャムが発生している位置を確認する。次にＳ９０４に進み、ＣＰＵ２００１は、Ｓ９０３で取得したジャムに対処する初期操作手順である、ジャムの発生場所のカバーを開ける手順を示す動画データをＨＤＤ２００４より取得する。そしてＳ９０５に進み、ＣＰＵ２００１は、図７（Ａ）で示す手順に従って、その動画を手動で再生する処理を実行する。
【００４５】
次にＳ９０６に進み、ＣＰＵ２００１は、装置内のセンサによって、動画により指示されたカバーが開けられたかどうかを判定し、そのカバーが開けられていないときはＳ９０５に戻って動画を再生し、そのカバーが開けられたと判定したときはＳ９０７に進む。Ｓ９０７でＣＰＵ２００１は、Ｓ９０３で取得したジャムが発生している場所のジャムを解除する操作手順を示す動画データをＨＤＤ２００４より取得する。そしてＳ９０８に進み、ＣＰＵ２００１は、図７（Ｂ）で示す手順に従って、その動画を自動で再生する処理を実行する。そしてＳ９０９でＣＰＵ２００１は、装置内のセンサによって、Ｓ９０６で開けられていたカバーが閉じられたかどうかを判定し、閉じられていないときはＳ９０８に進んで、動画の再生表示を繰り返す。そしてＳ９０９で、そのカバーが閉じられたことを検知すると、ＣＰＵ２００１は、ジャムの解除操作が完了したと判断してＳ９１０に進む。Ｓ９１０では、ＣＰＵ２００１は、Ｓ９０１のジャム検知で検知した全てのジャムが解除されたかどうかを判定し、全てのジャムが解除されていないときはＳ９０３に戻り、全てのジャムが解除されたと判定した場合はＳ９１１に進む。Ｓ９１１でＣＰＵ２００１は、図６に示すようなダイアログを閉じて、この処理を終了する。
【００４６】
以上説明したように実施形態２によれば、例えばジャムを解除する最初の手順を示す動画の再生表示は、ユーザが手動で動画の再生の開始を指示することにより開始される。このため、ユーザが他の操作を行っているために、動画を見逃したり、動画の重要な手順の説明を見逃す等の不具合を防止できるという効果がある。そして、後続の手順を示す動画は、カバーが開かれることにより自動的に再生されることにより、ユーザが一々手動操作しなくても、手順が順次表示されるため、メンテナンス操作に慣れているユーザ等にとって便利で操作しやすいものとなる。尚、実施形態２では、ジャムの解除を例に説明したが、本発明はこれに限定されるものでなく、例えばトナーやインクの交換、用紙なし等の何らかのメンテナンスを要する事象にも適用できる。
【００４７】
［実施形態３］
次に、本発明の実施形態３を、図１０に基づいて説明する。
【００４８】
図１０は、本発明の実施形態３に係る画像形成装置におけるジャム発生時の操作手順を示す動画の表示処理を説明するフローチャートである。実施形態３では、ジャムを検知したときにカバーを開ける手順を示す動画の再生を、ユーザの手動操作により開始し、カバーが開けられた後、ジャムを解除する手順を示す動画を自動で再生する点で実施形態２と同じである。但し、実施形態３では、あるジャムの処理を終了した後、別のジャムの発生個所が同じであれば、カバーを開ける手順を示す動画の再生を自動で行う点が、実施形態２と異なっている。尚、実施形態３に係るシステム構成及び画像形成装置の構成などは、前述の実施形態１と同様であるため、その説明を省略する。
【００４９】
尚、図１０のフローチャートで示す処理は、ＣＰＵ２００１が、ＨＤＤ２００４からＲＡＭ２００２に展開されたプログラムを実行することにより実現される。尚、この図１０のフローチャートに示す処理は、画像形成装置２００でジャムが発生し、そのジャムに対処する処理が必要になったタイミングで開始される。
【００５０】
先ずＳ１０００で、ＣＰＵ２００１は、ＨＤＤ２００４に保存されたジャムの発生場所を示す位置データを初期化する。次にＳ１００２に進み、ＣＰＵ２００１は、画像形成装置内のセンサ（図５の５１０）によってジャムを検知したか否かを判定し、ジャムを検知したと判定したときはＳ１００３に進む。Ｓ１００３でＣＰＵ２００１は、表示部２０１３に、例えば図６に示すようなダイアログを表示する。尚、このフローチャートでは、Ｓ１００２で、ジャムを検知していないときはＳ１００２を実行しているが、ジャムを検知していないときは他の処理に分岐しても良い。
【００５１】
次にＳ１００４に進み、ＣＰＵ２００１は、装置内のセンサ（図５の５１０）によってジャムの発生場所を取得する。次にＳ１００５に進み、ＣＰＵ２００１は、ＨＤＤ２００４に保持された前回のジャムの発生場所の位置データと、Ｓ１００４で取得したジャムの発生場所の位置データとを比較し、変化があるかを判定する。Ｓ１００５でＣＰＵ２００１が、ジャムの発生場所が前回のジャムの発生場所と変化していると判定するとＳ１００６に進み、ＨＤＤ２００４に保持されたジャムの発生場所の位置データを、Ｓ１００４で取得したジャムの発生場所を示す位置データに更新する。次にＳ１００７に進み、ＣＰＵ２００１は、Ｓ１００４で取得したジャムの発生場所のカバーを開ける手順を示す動画データをＨＤＤ２００４より取得する。そしてＳ１００８に進み、ＣＰＵ２００１は、図７（Ａ）で示す手順に従って、ユーザの手動操作で動画の再生表示を行う処理を実行してＳ１０１１に進む。
【００５２】
一方、Ｓ１００５で、ジャムの発生場所が変化していないと判定したときはＳ１００９に進み、Ｓ１００４で取得したジャムの発生場所のカバーを開ける手順を示す動画データをＨＤＤ２００４より取得する。そしてＳ１０１０に進み、ＣＰＵ２００１は、図７（Ｂ）で示す手順に従って、動画を自動再生する処理を行ってＳ１０１１に進む。
【００５３】
Ｓ１０１１で、装置内のセンサによって、動画で指示されたカバーが開けられたどうかを判定し、開けられたと判定したときはＳ１０１２に進むが、そうでないときはＳ１００８或いはＳ１０１０に戻って、動画の再生表示を行う。Ｓ１０１１では、図７（Ａ）で示す手順を表示していてカバーが開けられていないときはＳ１００８に戻り、図７（Ｂ）で示す手順を表示していてカバーが開けられていないときはＳ１０１０に戻る。Ｓ１０１２でＣＰＵ２００１は、Ｓ１００４で取得したジャムの発生場所のジャムを解除する手順を示す動画データをＨＤＤ２００４より取得する。そしてＳ１０１３に進み、ＣＰＵ２００１は、図７（Ｂ）のフローチャートに従って、動画を自動再生する処理を行う。そしてＳ１０１４に進み、ＣＰＵ２００１は、装置内のセンサによって、Ｓ１０１１で開けられていたカバーが閉じられたかどうかを判定し、そのカバーが閉じられたと判定したときはＳ１０１５に進む。Ｓ１０１４でカバーが閉じられていないときはＳ１０１３に進み、そのカバーが閉じられるまで動画を表示する。そしてＳ１０１５で、ＣＰＵ２００１は、検出した全てのジャムを解除できたかを判断し、全てのジャムを解除できたと判断した場合はＳ１０１６に進み、ダイアログを閉じる。Ｓ１０１５で全てのジャムを解除できていないと判断した場合はＳ１００４に戻る。
【００５４】
以上説明したように実施形態３によれば、ジャム処理のために、最初に、カバーを開ける手順を示す動画の再生表示は、ユーザの手動操作により開始される。しかし、そのジャムの処理の後に別のジャムを処理ずる際、再度、同じ場所のカバーを開ける手順の動画を表示する場合には、装置のイベント（カバーのオープン／クローズ）をトリガーにして、自動で動画を再生する。これにより、初めて処理をするジャムの発生場所のカバーを開ける手順を示す動画の再生を、ユーザの手動操作により開始するため、ユーザに対して、ジャムに対処する操作位置が変化したことを気付かせることができるという効果がある。
【００５５】
また同じ場所のカバーを開けてジャムを処理する手順を表示する際には、動画を表示するためのユーザの手動操作を不要にして自動的に動画の再生を開始できるので、ユーザの操作の手間を省略できるという効果がある。
【００５６】
［実施形態４］
次に、本発明の第４の実施形態を説明する。
【００５７】
図１１は、本発明の実施形態４に係る画像形成装置におけるジャムを解除する手順を示す動画を表示する処理を説明するフローチャートである。尚、図１１のフローチャートで示す処理は、ＣＰＵ２００１が、ＨＤＤ２００４からＲＡＭ２００２に展開されたプログラムを実行することにより実現される。
【００５８】
上述した実施形態１〜３では、装置のカバーがオープンされたイベントで、ジャムを解除する手順を示す動画の再生を開始し、そのカバーが閉じられたイベントで、ジャムを解除する手順を示す動画の再生を終了する場合で説明した。これに対して実施形態４では、カバーが開けられてから閉じられるまでに、ジャムを解除したタイミングでジャムの発生場所の変化イベントを通知する場合の処理について説明する。
【００５９】
ここでは複数本あるジャムを解除する操作手順の動画の内、カバーが開けられたイベントで、ジャムを解除する手順を示す１本目の動画の再生を開始する。そして、そのジャムが解除されたタイミングで、別のジャムの発生場所の変化イベントを通知し、そのジャムを解除する手順を示す２本目の動画の再生を開始する。これを同一のカバー内の最後のジャムの発生場所のジャムが解除されるまで繰り返し、そのカバーが閉じられたタイミングで、ジャムの解除を示す手順の動画の再生を終了する場合で説明する。
【００６０】
実施形態４では、装置のカバーが開けられたことによるジャムを解除する手順の動画の再生と、ジャムの発生場所の変化イベントによるジャムを解除する手順の動画の再生を、手動による再生または自動再生とを組み合わせた場合の処理について説明する。図１１のフローチャートでは、装置のカバーが開けられると、ジャムを解除する手順を示す動画の再生をユーザの手動操作により開始する。そしてジャムの発生場所が変化したイベントにより、ジャムを解除する手順の動画の再生を、ユーザの手動操作により開始する場合の処理について説明する。
【００６１】
この処理は、装置のカバーを開ける手順の動画が再生されている状態で開始する。まずＳ１１０１で、ＣＰＵ２００１は、そのカバーが開けられたか否かを判定し、そのカバーが開けられるとＳ１１０２に進む。Ｓ１１０１で、そのカバーが開けられたことを検知しない場合は、そのカバーが開けられたことを検知するまでＳ１１０１の処理を繰り返す。Ｓ１１０２で、ＣＰＵ２００１は、ジャムの発生場所に応じたジャムの解除手順を示す動画データを取得してＳ１１０３に進み、図７（Ａ）のフローチャートで示す、動画の再生をユーザの手動操作で開始する処理を行う。そしてＳ１１０４に進み、ＣＰＵ２００１は、現在のジャム発生場所のジャムが解除されたか否かを判定し、解除されていないときはＳ１１０３に戻って、動画の表示を継続する。そしてＳ１１０４で、現在のジャム発生場所のジャムが解除されたと判定したときはＳ１１０５に進む。
【００６２】
Ｓ１１０５でＣＰＵ２００１は、最後のジャムを解除する手順の動画を表示していたかを判定し、最後のジャムを解除する手順の動画でないときはＳ１１０６に進み、最後のジャムを解除する手順の動画であるときは、この処理を終了する。尚、最後のジャムを解除する手順の動画であったかどうかは、現在、開いているカバー内で発生しているジャムが全て解除され、そのカバーを閉じる手順を示す動画を表示する場合に、最後のジャムを解除する手順の動画であったと判断する。Ｓ１１０６でＣＰＵ２００１は、ジャムの発生場所が変化したイベントを取得する。そして、Ｓ１１０２に戻り、ＣＰＵ２００１は、次のジャムの発生場所のジャムの解除手順を示す動画データを取得して、ユーザの手動によりその動画の再生を開始する。
【００６３】
このように実施形態４によれば、ジャムを解除する手順を示す動画の再生を、ユーザによる手動操作により開始することにより、ユーザは確実にその手順を動画で見ることができる。また、同じカバー内で発生したジャムの場合であっても、各ジャムごとに、そのジャムを解除する手順を示す動画の再生を、ユーザによる手動操作により開始する。これにより、ユーザに対して、それぞれ別のジャムに対処する操作であることを気付かせることができるという効果がある。
【００６４】
図１２は、本発明の実施形態４の変形例である、画像形成装置におけるジャムを解除する手順を示す動画を表示する処理を説明するフローチャートである。尚、図１２のフローチャートで示す処理は、ＣＰＵ２００１が、ＨＤＤ２００４からＲＡＭ２００２に展開されたプログラムを実行することにより実現される。この図１２のフローチャートでは、カバーが開けられると、ジャムを解除する手順を示す動画を手動で再生し、ジャム発生場所が変化したイベントでは、ジャムを解除する手順を示す動画を自動で再生する場合について説明する。
【００６５】
この処理は、装置のカバーを開ける手順を示す動画が再生されている状態で開始される。まずＳ１１１１で、ＣＰＵ２００１は、装置のカバーが開けられたか否かを判定し、開けられていないときはＳ１１１１を実行し、開けられるとＳ１１０２に進む。Ｓ１１１２で、ＣＰＵ２００１は、ジャムの発生場所に応じたジャムを解除する手順を示す動画データを取得する。次にＳ１１１３に進み、ＣＰＵ２００１は、図７（Ａ）のフローチャートで示す、動画の再生をユーザの手動操作により開始する処理を行う。次にＳ１１１４に進み、ＣＰＵ２００１は、現在のジャム発生場所のジャムが解除されたか否かを判定し、解除されていないときは動画表示を継続する。即ち、Ｓ１１１４では、図７（Ｂ）で示す手順を表示していてジャムが解除されていないときはＳ１１１８に戻り、図７（Ａ）で示す手順を表示していてジャムが解除されていないときはＳ１１１３に戻る。Ｓ１１１４で、ＣＰＵ２００１が、現在のジャム発生場所のジャムが解除されたと判定した場合はＳ１１１５に進む。Ｓ１１１５で、ＣＰＵ２００１は、最後のジャムを解除する手順の動画を表示していたかを判定し、そうであればこの処理を終了する。ここで言う最後のジャムを解除する手順の動画であったかどうかは、このカバー内で発生している全てのジャムが解除され、次に、そのカバーを閉じる手順を示す動画を表示する場合に、最後のジャムを解除する手順を示す動画であると判断する。Ｓ１１１５で、最後のジャムを解除する手順を示す動画でないと判定した場合はＳ１１１６に進み、ＣＰＵ２００１は、ジャムの発生場所が変化したイベントを取得する。そしてＳ１１１７に進み、ＣＰＵ２００１は、Ｓ１１１６で取得したジャムの発生場所に応じたジャムを解除する手順を示す動画データを取得する。そしてＳ１１１８に進み、ＣＰＵ２００１は、図７（Ｂ）で示すフローチャートに従って、その動画データに基づく動画を自動的に再生する処理を行ってＳ１１１４に進む。
【００６６】
このように実施形態４の変形例によれば、ジャムを解除する手順を示す動画の再生を、ユーザによる手動操作により開始することにより、ユーザは確実のその手順を見ることができる。また、同じカバー内で発生したジャムの場合には、各ジャムごとに、そのジャムを解除する手順を示す動画の再生を自動的に開始する。これにより、同じカバー内のジャムであれば、一々、ユーザが動画を再生するための操作を行わなくても、１つのジャムを解除する度に、順次、自動的に、ジャムを解除する手順を示す動画が再生される。
【００６７】
図１３は、本発明の実施形態４の更に他の変形例である、画像形成装置におけるジャムを解除する手順を示す動画を表示する処理を説明するフローチャートである。尚、図１３のフローチャートで示す処理は、ＣＰＵ２００１が、ＨＤＤ２００４からＲＡＭ２００２に展開されたプログラムを実行することにより実現される。この図１３のフローチャートでは、カバーが開けられると、ジャムを解除する手順を示す動画を自動で再生し、ジャム発生場所が変化したイベントでも、ジャムを解除する手順を示す動画を自動で再生する場合について説明する。
【００６８】
この処理は、ジャムの発生が検知されて、装置のカバーを開ける手順を示す動画が再生されている状態で開始される。まずＳ１１２１で、ＣＰＵ２００１は、装置のカバーが開けられたか否かを判定し、そのカバーが開けられたことを検知した場合はＳ１１２２に進む。Ｓ１１２１で、カバーが開けられたことを検知しない場合は、カバーが開けられるまでＳ１１２１の処理を繰り返す。Ｓ１１２２では、ＣＰＵ２００１は、ジャムの発生場所に応じたジャムを解除する手順を示す動画データを取得する。そしてＳ１１２３に進み、ＣＰＵ２００１は、図７（Ｂ）のフローチャートで示す動画を自動再生する処理を行う。そしてＳ１１２４に進み、ＣＰＵ２００１は、現在のジャム発生場所のジャムが解除されたか否かを判定し、そのジャムが解除されたと判定した場合はＳ１１２５に進む。一方、Ｓ１１２４で、そのジャムが解除されていないと判定した場合はＳ１１２３に進み、そのジャムが解除されるまで動画の再生を繰り返す。
【００６９】
Ｓ１１２５でＣＰＵ２００１は、最後のジャムを解除する手順を示す動画であったかどうかを判定し、そうであれば、この処理を終了する。尚、ここで述べる最後のジャムを解除する手順の動画であるかどうかは、現在、オープンしているカバー内のジャムが全て解除され、次に、そのカバーを閉じる手順を示す動画を表示する場合に、最後のジャムを解除する手順を示す動画であると判断する。
【００７０】
Ｓ１１２５で、最後のジャムを解除する手順を示す動画でないと判定した場合はＳ１１２６に進み、ＣＰＵ２００１は、ジャム発生場所の変化イベントを取得する。そしてＳ１１２２に戻り、ＣＰＵ２００１は、次のジャム発生場所のジャムを解除する手順を示す動画データを取得する。そしてＳ１１２３で、その動画を自動で再生する。
【００７１】
この変形例によれば、ジャムを解除する手順を示す動画の再生を自動的に開始することにより、一々、ユーザが動画を再生するための操作を行わなくても、１つのジャムを解除する度に、順次、自動的に、ジャムを解除する手順を示す動画が再生される。これにより、ジャムに対処する操作に慣れているユーザにとって、順次、必要とする動画が自動的に再生して表示されるので、操作性が良いという効果がある。
【００７２】
以上、各実施形態を独立に説明したが、前述の実施形態１〜４のそれぞれの動作を指示するスイッチを画像形成装置に備え、そのスイッチにより、画像形成装置が、いずれの動作を実行するかを指示できるようにしても良い。
【００７３】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2014104728.tif 000003
【図２】
2014104728.tif 000004
【図３】
2014104728.tif 000005
【図４】
2014104728.tif 000006
【図５】
2014104728.tif 000007
【図６】
2014104728.tif 000008
【図７】
2014104728.tif 000009
【図８】
2014104728.tif 000010
【図９】
2014104728.tif 000011
【図１０】
2014104728.tif 000012
【図１１】
2014104728.tif 000013
【図１２】
2014104728.tif 000014
【図１３】
2014104728.tif 000015